(57)【要約】 【課題】  入稿ファイルを用いて印刷時の画像の再現状態の良否を検査することのできる技術を提供する。【解決手段】  コンテンツタイプ認識部３２１は、入稿ファイルＰＤ０に含まれる各オブジェクトのコンテンツタイプを認識する。特徴量抽出部３２２は、各オブジェクトのコンテンツタイプに応じて設定されたオブジェクトの再現状態に関する特徴量を抽出する。特徴量判定部３２３は、抽出された特徴量に基づいて、各オブジェクトが、各オブジェクトで表される画像部分の再現状態の良否に関する判定条件を満足するか否かを決定する。【選択図】  図２
2005085180.tif 000002
【特許請求の範囲】
【請求項１】
印刷データ処理装置であって、
印刷データ処理の対象として入力された入稿ファイルに対して、前記印刷データ処理の実行前に、前記入稿ファイルで表される印刷物画像の再現状態の良否を検査するコンテンツ検査部を備え、
前記コンテンツ検査部は、
前記入稿ファイルに含まれる画像部品である複数のオブジェクトに関して、各オブジェクトのコンテンツタイプを認識するコンテンツタイプ認識部と、
各オブジェクトのコンテンツタイプに応じて設定されたオブジェクトの再現状態に関する特徴量を、各オブジェクト毎に抽出する特徴量抽出部と、
前記抽出された特徴量に基づいて、各オブジェクトが、各オブジェクトで表される画像部分の再現状態の良否に関する判定条件を満足するか否かを決定する判定部と、
を備えることを特徴とする印刷データ処理装置。
【請求項２】
請求項１記載の印刷データ処理装置であって、
前記オブジェクトのコンテンツタイプは、自然画像コンテンツと、文字コンテンツと、イラストコンテンツとを含み、各コンテンツタイプ毎に互いに異なる特徴量が設定される、印刷データ処理装置。
【請求項３】
請求項１または２記載の印刷データ処理装置であって、
自然画像コンテンツを表すオブジェクトに対する特徴量は、印刷時における網点モアレの発生状態に関する値を含む、印刷データ処理装置。
【請求項４】
請求項１ないし３のいずれかに記載の印刷データ処理装置であって、
文字コンテンツを表すオブジェクトに対する特徴量は、価格を示す数字が、予め登録された複数の価格値のいずれかに該当する否かを示す値を含む、印刷データ処理装置。
【請求項５】
請求項１ないし４のいずれかに記載の印刷データ処理装置であって、
前記特徴量抽出部は、前記印刷データ処理において実行される特定の処理をシミュレーションすることによって少なくとも１つの特徴量を抽出する、印刷データ処理装置。
【請求項６】
印刷データ処理の対象として入力された入稿ファイルに対して、前記印刷データ処理の実行前に、前記入稿ファイルで表される印刷物画像の再現状態の良否を検査する処理をコンピュータに実行させるためのコンピュータプログラムであって、
前記入稿ファイルに含まれる画像部品である複数のオブジェクトに関して、各オブジェクトのコンテンツタイプを認識するコンテンツタイプ認識機能と、
各オブジェクトのコンテンツタイプに応じて予め設定されたオブジェクトの再現状態に関する特徴量を、各オブジェクト毎に抽出する特徴量抽出機能と、
前記抽出された特徴量に基づいて、各オブジェクトが、各オブジェクトで表される画像部分の再現状態の良否に関する判定条件を満足するか否かを決定する判定機能と、
を前記コンピュータに実現させるコンピュータプログラム。
【発明の詳細な説明】
【技術分野】
【０００１】
この発明は、印刷データ処理のための入稿ファイルの検査に関する。
【背景技術】
【０００２】
コンピュータ技術の進展に伴って、商業印刷用の製版システムにおいてもコンピュータを用いたデジタル化が普及してきている。デジタル化された印刷製版システムでは、入稿ファイル（例えばPDFデータやPostScriptデータ。PostScriptはアドビシステムズ社の商標）を受け取り、この入稿ファイルに種々の印刷データ処理を行って２値の刷版データを作成する。そして、この刷版データを用いて刷版または網フィルムが出力される。また、最近では、印刷製版システムで２値の印刷物データを作成し、この２値印刷物データをオンデマンド印刷機に転送して直接印刷を実行させるオンデマンド印刷も行われている。本明細書では、このような印刷物データを作成する処理の全体を「印刷製版」または「印刷データ処理」と呼ぶ。なお、「印刷物データ」は、刷版データと、オンデマンド印刷用の印刷物データ（狭義の印刷物データ）の両方を含む意味で使用する。
【０００３】
印刷データ処理は、多大な時間とコストを要するため、入稿ファイルに誤りが無いか否かを検査することが望まれている。例えば、特許文献１には入稿ファイルに含まれる入稿条件が所定の判定条件に合致しているか否かを検査する技術が開示されている。
【０００４】
【特許文献１】特開２００２−２１５７２５
【０００５】
この従来技術における入稿検査は、入稿条件（画像の解像度や、使用されている文字のサイズおよびフォントの種類など）が許容される範囲にあるか否かに関するものである。しかし、入稿条件のみの検査では、印刷時の画像の再現状態の良否までは検査されない。従って、入稿条件の検査で合格した入稿ファイルを用いて印刷データ処理を実行しても、印刷物としての再現状態が望ましくない場合があった。
【発明の開示】
【発明が解決しようとする課題】
【０００６】
本発明は、入稿ファイルを用いて印刷時の画像の再現状態の良否を検査することのできる技術を提供することを目的とする。
【課題を解決するための手段】
【０００７】
上記目的を達成するために、本発明による装置は、印刷データ処理装置であって、
印刷データ処理の対象として入力された入稿ファイルに対して、前記印刷データ処理の実行前に、前記入稿ファイルで表される印刷物画像の再現状態の良否を検査するコンテンツ検査部を備え、
前記コンテンツ検査部は、
前記入稿ファイルに含まれる画像部品である複数のオブジェクトに関して、各オブジェクトのコンテンツタイプを認識するコンテンツタイプ認識部と、
各オブジェクトのコンテンツタイプに応じて設定されたオブジェクトの再現状態に関する特徴量を、各オブジェクト毎に抽出する特徴量抽出部と、
前記抽出された特徴量に基づいて、各オブジェクトが、各オブジェクトで表される画像部分の再現状態の良否に関する判定条件を満足するか否かを決定する判定部と、
を備えることを特徴とする。
【０００８】
この装置によれば、オブジェクトの再現状態に関する特徴量を各オブジェクト毎に抽出し、この特徴量を用いて各オブジェクトの再現状態の良否を判定するので、入稿ファイルを用いて印刷時の画像の再現状態の良否を検査することが可能である。また、特徴量は、オブジェクトのコンテンツタイプに応じて設定されているので、コンテンツタイプに適した特徴量を用いてオブジェクトの再現状態を検査することができる。
【０００９】
前記オブジェクトのコンテンツタイプは、自然画像コンテンツと、文字コンテンツと、イラストコンテンツとを含み、各コンテンツタイプ毎に互いに異なる特徴量が設定されるようにしてもよい。
【００１０】
この構成によれば、３種類の代表的なコンテンツに関して互いに異なる特徴量を用いるので、各コンテンツに関する再現状態を適切に検査することができる。
【００１１】
自然画像コンテンツを表すオブジェクトに対する特徴量は、印刷時における網点モアレの発生状態に関する値を含むようにしてもよい。
【００１２】
網点モアレの発生状態は、自然画像の再現状態（画質）に大きな影響があるので、入稿時検査で網点モアレの発生状態を検査すれば、より有効な検査を行うことができる。
【００１３】
文字コンテンツを表すオブジェクトに対する特徴量は、価格を示す数字が、予め登録された複数の価格値のいずれかに該当する否かを示す値を含むようにしてもよい。
【００１４】
チラシやカタログに含まれる文字コンテンツに関しては、価格値が適切か否かが重要なので、この点について入稿検査を行うことによって、より有効な検査を行うことができる。
【００１５】
前記特徴量抽出部は、前記印刷データ処理において実行される特定の処理をシミュレーションすることによって少なくとも１つの特徴量を抽出するようにしてもよい。
【００１６】
特定の処理としては、網点処理（網掛け処理）や階調変換などがある。このような処理に関するシミュレーションを行うことによって、コンテンツに適した特徴量を抽出することが可能である。
【００１７】
なお、本発明は、種々の形態で実現することが可能であり、例えば、印刷データ処理方法および装置、入稿データ検査方法および装置、それらの方法または装置の機能を実現するためのコンピュータプログラム、そのコンピュータプログラムを記録した記録媒体等の形態で実現することができる。
【発明を実施するための最良の形態】
【００１８】
次に、本発明の実施の形態を実施例に基づいて以下の順序で説明する。
Ａ．装置の全体構成：
Ｂ．実施例の処理内容：
Ｃ．変形例
【００１９】
Ａ．装置の構成：
図１は、本発明の一実施例である印刷製版システムの全体構成を示す説明図である。この印刷製版システムは、印刷物をデザインして入稿ファイルＰＤ０を作成するためのデザイン装置１００と、この入稿ファイルＰＤ０に基づいて刷版または印刷物を作成するための印刷データ処理システム２００とを備えている。印刷データ処理システム２００は、印刷データ処理装置３００と、出力機４００とを含んでいる。出力機４００としては、簡易な校正刷りを印刷する簡易プルーフ出力機や、網点処理（網掛け処理）を行った印刷物の校正刷りを出力する網点プルーフ出力機、印刷物データＰＤ２から刷版を直接作成するプレート出力機、印刷物データＰＤ１から印刷物を直接作成するオンデマンド印刷機などを使用することができる。また、印刷データ処理装置３００には、ＣＲＴディスプレイ、ＬＣＤディスプレイ等の表示部（図示せず）が接続されており、入稿ファイルの判定条件を設定するためのユーザ設定画面や、入稿ファイルの検査結果等を表示することができる。
【００２０】
印刷データ処理装置３００は、入稿条件検査部３１０と、入稿コンテンツ検査部３２０と、製版データ処理部３３０と、出力処理部３４０とを有している。入稿条件検査部３１０は、入稿ファイルＰＤ０に含まれる入稿条件が、所定の判定条件を満足するか否かを検査する。入稿条件としては、画像の解像度や、使用されている文字のサイズおよびフォントの種類などがある。なお、入稿条件の検査は、「プリフライトチェック」とも呼ばれている。
【００２１】
入稿コンテンツ検査部３２０は、入稿ファイルＰＤ０に含まれる画像部品である各オブジェクト（「画像部品オブジェクト」とも呼ぶ）について、印刷時の画像の再現状態の良否を検査する。入稿ファイルＰＤ０に含まれるオブジェクトとしては、例えば、画像コンテンツと文字コンテンツとイラストコンテンツとがある。画像コンテンツは、通常は写真画像であるが、文書アプリケーションで作成された文書が画像コンテンツとして入稿ファイルＰＤ０に含まれる可能性もある。文字コンテンツは、文字コードと、フォントの種類と、フォントサイズなどの情報で表されている文字列である。イラストコンテンツは、グラフィックスコマンドで描画される画像である。なお、「イラストコンテンツ」を「グラフィックスコンテンツ」とも呼ぶ。本明細書において、「コンテンツ」とは、オブジェクトで表される画像の内容を意味している。
【００２２】
入稿コンテンツ検査部３２０で行われる検査（「コンテンツ検査」と呼ぶ）には、画像コンテンツ用判定条件ＪＣ１と、文字コンテンツ用判定条件ＪＣ２と、イラストコンテンツ用判定条件ＪＣ３とが利用される。後述するように、入稿コンテンツ検査部３２０は、各オブジェクトがこれらの３種類のコンテンツのいずれであるかを認識し、コンテンツの種類に応じた特徴量を抽出するとともに、それぞれの判定条件を適用してその良否を判定する。入稿条件検査部３１０と、入稿コンテンツ検査部３２０は、いずれも入稿ファイルＰＤ０に対して製版データ処理を実行する前に検査を実行する。従って、これらの検査を行うによって、製版データ処理を行う前に、誤りを含む可能性のある入稿ファイルを発見することができる。
【００２３】
製版データ処理部３３０は、入稿ファイルＰＤ０に対して指定される製版パラメータＰＰに従って種々の印刷製版処理（印刷データ処理）を実行し、印刷物データＰＤ１を生成する。印刷製版処理としては、以下のような処理が含まれている。
【００２４】
（１）台割面付け処理：
いわゆる台割処理や面付け処理（１枚の刷版に複数のページを配置する処理）を行う。また、処理が行われたデータを簡易プルーフ用ＲＩＰ展開データに展開し、このデータに応じた校正刷りを簡易プルーフ出力機に出力させる機能も有している。
【００２５】
（２）自動製版処理：
いわゆる、スミノセや、白フチ、トラッピングなどの処理や、階調変換処理を行う。
【００２６】
（３）網点プルーフ処理：
いわゆる、ＲＩＰ展開処理（Raster Image Processing）や網点処理（網掛け処理）を行い、各インク色（例えば、ＹＭＣＫの４色）の刷版を表すラスタデータ（「網点プルーフ用ＲＩＰ展開データ」とも呼ぶ）を出力用解像度に合わせて作成する。網点プルーフ用ＲＩＰ展開データに応じた校正刷りは、網点プルーフ出力機から出力される。
【００２７】
（４）最終出力処理：
印刷物データをＲＩＰ展開することによって、出力機４００に適した出力データＰＤ１を作成する。この出力データＰＤ１は、出力処理部３４０を介して出力機４００に転送される。
【００２８】
製版パラメータＰＰは、全体の処理工程や各処理の処理条件を含んでいる。なお、印刷データ処理装置３００の各部３１０，３２０，３３０，３３０の機能は、記録媒体に格納されたアプリケーションプログラムをコンピュータが実行することによって実現される。
【００２９】
図２は、入稿コンテンツ検査部３２０の内部構成を示すブロック図である。入稿コンテンツ検査部３２０は、コンテンツタイプ認識部３２１と、特徴量抽出部３２２と、特徴量判定部３２３と、判定結果表示部３２４と、判定条件生成部３２５とを備えている。判定条件生成部３２５は、製版パラメータＰＰに含まれる製版処理工程（「後工程」と呼ぶ）の情報と、ユーザによって設定された判定条件の設定値とのうちの少なくとも一方に基づいて、各コンテンツ用の判定条件ＪＣ１〜ＫＣ３を生成する。特徴量の抽出やその判定は、これらの判定条件に従って実行される。これらの各部３２１〜３２５の機能については後述する。
【００３０】
Ｂ．実施例の処理内容：
図３は、本実施例において製版データ処理の対象となる入稿ファイルＰＤ０で表される印刷物画像の一例を示す説明図である。この印刷物画像は、台紙ＢＳの上に、６つの画像部品ＯＢ１〜ＯＢ６がそれぞれ所定の位置に配置されている。なお、各画像部品の外枠は、図示の便宜上描かれているものであり、実際の画像では外枠は再現されない。１つの画像部品のデータは、入稿ファイルＰＤ０内において１つの独立したオブジェクトとして入力されている。１番目と２番目のオブジェクトＯＢ１，ＯＢ２は、自然画像（すなわち写真画像）を表す画像コンテンツである。３番目ないし５番目のオブジェクトＯＢ３〜ＯＢ５は文字コンテンツであり、６番目のオブジェクトＯＢ６はイラストコンテンツである。以下では、このような入稿ファイルＰＤ０を用いた入稿コンテンツ検査について説明する。
【００３１】
図４は、第１実施例における入稿コンテンツ検査の処理手順を示すフローチャートである。ステップＳ１では、ユーザが、印刷データ処理システム２００の入力装置を用いて製版パラメータＰＰ（図１）を設定する。製版パラメータＰＰは、入稿ファイルＰＤ０に対して行われる各種の処理工程（台割面付け処理工程、自動製版処理工程、網点プルーフ処理工程、最終出力処理工程など）の実行の順番や、各処理工程における詳細な処理条件（例えば、網点処理に使用する網点の種類や、階調変換特性など）を含んでいる。なお、製版パラメータＰＰは、ジョブ毎（１つの印刷物の製版処理毎）にそれぞれ設定されるので、製版パラメータＰＰで構成されるデータファイルは「ジョブチケット」とも呼ばれる。
【００３２】
ステップＳ２では、ユーザが入稿コンテンツ検査の判定条件のユーザ設定値（後述する）を入力する。ステップＳ３では判定条件生成部３２５が、製版パラメータＰＰの後工程情報と、ステップＳ２でユーザに設定された判定条件とを用いて、各コンテンツの判定条件ＪＣ１〜ＪＣ３を生成する。判定条件ＪＣ１〜ＪＣ３の内容については後述する。ステップＳ４では、入稿コンテンツ検査部３２０が処理対象となる入稿ファイルＰＤ０を読み込む。ステップＳ５では、コンテンツタイプ認識部３２１が、各オブジェクトのコンテンツタイプが画像コンテンツと文字コンテンツとイラストコンテンツのいずれであるかを認識する。ステップＳ６では、特徴量抽出部３２２が、各オブジェクトのコンテンツタイプに応じてそのオブジェクトに関する特徴量を抽出する。ステップＳ７では、特徴量判定部３２３が、判定条件ＪＣ１〜ＪＣ３と特徴量とを比較して、そのコンテンツの画像部分の再現状態に不具合があるか否かを判定する。ステップＳ８では、全オブジェクトに関する検査が完了するまでステップＳ５〜Ｓ７を繰り返す。そして、全オブジェクトに関する検査が完了すると、ステップＳ９において、判定結果表示部３２４が判定結果を示す画像を生成するとともに、その判定結果画像を表示または印刷する。
【００３３】
本実施例における３種類のコンテンツに関する特徴量とその判定方法は、例えば以下の通りである。
【００３４】
ａ．画像コンテンツの特徴量および良否判定（詳細は後述）：
［特徴量ａ１］画像コンテンツのハイライト濃度値Ｄｈ
・許容値：ハイライト許容濃度値ＴＤｈ＝０．５０（ユーザ設定値）
・判定条件：ＴＤｈ＜Ｄｈの場合には、画像が暗すぎるので警告を発生する。
【００３５】
［特徴量ａ２］画像コンテンツのシャドー濃度値Ｄｓ
・許容値：シャドー許容濃度値ＴＤｓ＝１．５０（ユーザ設定値）
・判定条件：Ｄｓ＜ＴＤｓの場合には、画像が明るすぎるので警告を発生する。
【００３６】
［特徴量ａ３］画像コンテンツの網点モアレ発生予測面積Ｓｍ（画素）
・許容値：網点モアレ許容面積ＴＳｍ＝１５８７２画素（ユーザ設定値）
・判定条件：ＴＳｍ＜Ｓｍの場合には、画像の網点モアレが目立つので警告を発生する。
【００３７】
［特徴量ａ４］画像コンテンツのノイズ量Ｐwn
・許容値：許容ノイズ量ＴＰwn＝８（ユーザ設定値）
・判定条件：ＴＰwn＜Ｐwnの場合には、画像のノイズが多いので警告を発生する。
【００３８】
図５は、画像コンテンツを解析して得られるハイライト濃度値Ｄｈとシャドー濃度値Ｄｓを示すグラフである。ハイライト濃度値Ｄｈは、画像コンテンツの画素の濃度値の累積ヒストグラムにおいて、累積画素数が所定の第１の割合（図５の場合は５％）に達したところの濃度値を意味する。また、シャドー濃度値Ｄｓは、累積画素数が所定の第２の割合（図５の場合は９５％）に達したところの濃度値を意味する。ハイライト許容濃度値ＴＤｈは、適切な階調特性を有する画像における適切なハイライト濃度値の上限値である。画像コンテンツのハイライト濃度値Ｄｈがこの許容値ＴＤｈよりも大きい（すなわち暗い値を示す）場合には、画像全体が暗すぎるので、画像の再現状態に不具合があると判定される。シャドー許容濃度値ＴＤｓは、適切な階調特性を有する画像における適切なシャドー濃度値の下限値である。そこで、画像コンテンツのシャドー濃度値Ｄｓがその許容値ＴＤｓよりも小さい（すなわち明るい値を示す）場合には、画像全体が明るすぎるので、画像の再現状態に不具合があると判定される。このように、ハイライト濃度値とシャドー濃度値に関する判定は、画像コンテンツが適切な階調特性を有するか否かを判定するためのものである。
【００３９】
画像コンテンツの網点モアレ発生予測面積Ｓｍは、画像コンテンツを網点処理（網掛け処理）した網点画像において発生する網点モアレの面積を、シミュレーションによって予測して得られる値である。よく知られているように、網点モアレは、網点の周期性と画像コンテンツとの干渉によって発生する。例えば、本出願人により開示された特開平２００１−８６３５５号公報の図２に記載されたシミュレーション画像生成部１０Ａと、参照画像生成部１０Ｂと、モアレ検出部３０とを利用すれば、網点モアレ発生予測面積Ｓｍを算出することが可能である。あるいは、本出願人により開示された特開２００１−８６３６９号公報に記載された方法や装置を用いて網点モアレ発生予測面積Ｓｍを算出することも可能である。網点モアレ発生予測面積Ｓｍが、その許容値ＴＳｍよりも大きい場合には、網点モアレが目立つので、画像の再現状態に不具合があると判定される。なお、網点モアレ許容面積ＴＳｍとしては、画素数による指定の代わりに、面積による指定を行うようにしてもよい。具体的には、例えば、網点モアレ許容面積ＴＳｍとして８×８ｍｍの面積を指定したとき、画像コンテンツの解像度が４００ｄｐｉであれば、画素数単位による網点モアレ許容面積ＴＳｍは、８×８×（４００×４００）／（２５．４×２５．４）［画素］となる。上記のＴＳｍ＝１５８７２画素という許容値は、このようにして算出された値である。
【００４０】
画像コンテンツのノイズ量Ｐwnは、画像コンテンツに含まれる高周波成分の量を示す値である。例えば、ラプラシアンフィルタを画像コンテンツに作用させて、所定の範囲の高周波成分に関する振幅の絶対値の平均値をノイズ量Ｐwnとして求めることが可能である。画像コンテンツのノイズ量Ｐwnがその許容量ＴＰwnよりも多い場合には、ノイズが多すぎるので、画像の再現状態に不具合があると判定される。
【００４１】
ｂ．文字コンテンツの特徴量および良否判定：
［特徴量ｂ１］文字コンテンツの１行文字数Ｎｃ
・許容値：最大１行文字数ＴＮｃ＝３６（ユーザ設定値）
・判定条件：ＴＮｃ＜Ｎｃの場合には、１行の文字数が多すぎるので警告を発生する。
【００４２】
［特徴量ｂ２］文字コンテンツの価格値
・許容値：価格リスト数ＴＮｖ＝１０個（ユーザ設定値），価格値ＴＶＬ（１）〜ＴＶＬ（ＴＮｖ）（ユーザ設定値）
・判定条件：文字コンテンツ内に、価格リスト内の価格値ＴＶＬ（１）〜ＴＶＬ（ＴＮｖ）のいずれにも一致しない価格が含まれていれば、エラーとして警告する。
【００４３】
１行文字数Ｎｃは、台紙ＢＳ（図３）上の同じ高さ（同じ行位置）にある文字の数である。文字コンテンツの１行文字数Ｎｃがその許容値ＴＮｃよりも多い場合には、文字コンテンツに何らかのエラーがあるので、画像の再現状態に不具合があると判定される。
【００４４】
なお、価格リストとは、商品のチラシやカタログに使用されている価格のリストである。チラシやカタログでは、価格の値が極めて重要なので、入稿時に価格が正しいか否かをチェックすることが好ましい。ある文字コンテンツが価格であるか否かは、価格を示す文字「円」「￥」が、数字の前または後に付加されているか否かによって判定することができる。文字コンテンツの価格の値が、価格リスト内の価格値ＴＶＬ以外の値である場合には、文字コンテンツにエラーがあるので、画像の再現状態に不具合があると判定される。
【００４５】
ｃ．イラストコンテンツの特徴量および良否判定：
［特徴量ｃ１］イラストコンテンツのグラデーション階調範囲ＬＲ
・許容値：急峻階調変換範囲ＴＬＲ（後工程の階調変換特性から算出）
・判定条件：イラストコンテンツがグラデーションであり、その階調範囲ＬＲが急峻階調変換範囲ＴＬＲに含まれている場合には、グラデーションにトーンジャンプが発生するので警告を発生する。
【００４６】
図６は、急峻階調変換範囲ＴＬＲを示す説明図である。ここでは、入稿の後工程のいずれか（すなわち製版データ処理部３３０の処理）において、２つの階調変換が行われるものと仮定する。２つの階調変換特性ＴＣ１，ＴＣ２は、入稿ファイルＰＤ０内で指定されている。合成階調変換特性ＴＣ３は、これらの２つの階調変換特性ＴＣ１，ＴＣ２を合成したものである。この合成は、２回の階調変換のシミュレーションと考えることができる。急峻階調変換範囲ＴＬＲは、合成階調変換特性ＴＣ３の傾きが所定値以上の範囲である。この階調範囲ＴＬＲでは、大幅な階調変換が行われるので、グラデーションがこの範囲ＴＬＲの色を含む場合には、グラデーション内に階調ジャンプが発生する可能性が高い。そこで、イラストコンテンツに含まれるグラデーション階調範囲ＬＲが、急峻階調範囲ＴＬＲ内の階調を含む場合には、画像の再現状態に不具合があると判定される。なお、後工程で１回の階調変換が実行される場合にも、その階調変換特性に基づいて、急峻階調範囲ＴＬＲを同様に決定することが可能である。
【００４７】
図７は、入稿コンテンツのチェック結果を示す画面の一例を示している。この例では、図３の入稿ファイルの中で、画像コンテンツであるオブジェクトＯＢ２に網点モアレが発生しているとの警告が表示されており、また、その画像コンテンツ内における網点モアレ発生箇所が表示されている。また、文字コンテンツであるオブジェクトＯＢ４に価格ミスがあるとの警告が表示されている。このように、入稿コンテンツチェック結果を表示するようにすれば、画像の再現状態に不具合のあるオブジェクト（コンテンツ）が存在するか否かと、どのような不具合があるかとを、作業者に容易に認識させることができる。そして、不具合がある場合には、その後の印刷データ処理を実行する前に、入稿ファイルＰＤ０を修正することが可能である。
【００４８】
なお、網点モアレの発生状態に関する判定結果の表示としては、発生の有無のみを示す表示や、発生面積を示す表示などの種々の表示形態を採用することが可能である。また、他のコンテンツの判定結果の表示に関しても、種々の形態を採用可能である。
【００４９】
以上のように、本実施例では、画像コンテンツと文字コンテンツとイラストコンテンツのそれぞれに関して、互いに異なる特徴量を用いて画像の再現状態に不具合があるか否かが判定される。従って、これらのコンテンツを含む印刷物を再現したときに不具合が発生するか否かを入稿時に発見することが可能である。
【００５０】
Ｃ．変形例：
なお、この発明は上記の実施例や実施形態に限られるものではなく、その要旨を逸脱しない範囲において種々の態様において実施することが可能であり、例えば次のような変形も可能である。
【００５１】
Ｃ１．変形例１：
３つの種類のコンテンツに関する特徴量は一例であり、他の種類の特徴量を用いて入稿時のコンテンツチェックを行うことが可能である。この場合にも、各種類のコンテンツに関して、少なくとも１つずつの特徴量を用いたコンテンツチェックを行うことが好ましい。
【００５２】
Ｃ２．変形例２：
上記実施例では、３種類のコンテンツタイプの場合について説明したが、コンテンツタイプとしては、任意の複数のタイプを使用することが可能である。この場合にも、各コンテンツ毎に異なる特徴量を使用してその画像の再現状態の良否を判定することが好ましい。
【図面の簡単な説明】
【００５３】
【図１】本発明の一実施例である印刷製版システムの全体構成を示す説明図。
【図２】入稿コンテンツ検査部３２０の内部構成を示すブロック図。
【図３】実施例で製版データ処理の対象となる入稿ファイルＰＤ０で表される印刷物画像の例を示す説明図。
【図４】第１実施例における入稿コンテンツ検査の処理手順を示すフローチャート。
【図５】画像コンテンツを解析して得られるハイライト濃度値Ｄｈとシャドー濃度値Ｄｓを示すグラフ。
【図６】イラストコンテンツに関する急峻階調変換範囲ＴＬＲを示す説明図。
【図７】入稿コンテンツのチェック結果を示す画面の一例を示す説明図。
【符号の説明】
【００５４】
１００…デザイン装置
２００…印刷データ処理システム
３００…印刷データ処理装置
３１０…入稿条件検査部
３２０…入稿コンテンツ検査部
３２１…コンテンツタイプ認識部
３２２…特徴量抽出部
３２３…特徴量判定部
３２４…判定結果表示部
３２５…判定条件生成部
３３０…製版データ処理部
３４０…出力処理部
４００…出力機
４２０…網点プルーフ出力機
【図１】
2005085180.tif 000003
【図２】
2005085180.tif 000004
【図３】
2005085180.tif 000005
【図４】
2005085180.tif 000006
【図５】
2005085180.tif 000007
【図６】
2005085180.tif 000008
【図７】
2005085180.tif 000009